(57)【要約】【課題】簡易な構成で、１台のリモコンで放送受信機と地上デジタル放送アダプタとを操作できる地上デジタル放送アダプタを提供する。【解決手段】地上デジタル放送アダプタ１は、信号受信手段１０と、リモコン信号学習手段２０と、ルックアップテーブル生成手段３０と、リモコン３のボタンに対応したリモコン信号と、放送受信機２に信号を送信するか否かを示す判定情報と、リモコン３の選局ボタン３ａに割り当てる地上デジタル放送のチャンネルと、の関連付けを有するルックアップテーブル４２を記憶する記憶手段４０と、ルックアップテーブル取得手段５０と、判定手段６０と、信号送信手段７０と、制御手段８０と、設定画面表示制御手段９２と、チューナ９４と、デコーダ９６と、を備える。【選択図】図１
2009164669.tif 000002
【特許請求の範囲】
【請求項１】
地上デジタル放送を受信して選局するチューナを備え、前記チューナが選局した前記地上デジタル放送を、接続された放送受信機が受信可能な放送信号に変換する地上デジタル放送アダプタにおいて、
前記放送受信機に付属するリモコンのボタンに対応したリモコン信号を受信する信号受信手段と、
前記リモコン信号と、前記放送受信機に信号を送信するか否かを示す判定情報と、前記リモコンの選局ボタンに割り当てる前記地上デジタル放送のチャンネルと、の関連付けを有するルックアップテーブルを記憶する記憶手段と、
前記記憶手段が記憶する前記ルックアップテーブルから、前記信号受信手段が受信した前記リモコン信号に関連付けられた前記判定情報と前記地上デジタル放送のチャンネルとを取得するルックアップテーブル取得手段と、
前記ルックアップテーブル取得手段が取得した前記判定情報に基づいて、前記放送受信機に信号を送信するか否かを判定する判定手段と、
前記判定手段が前記放送受信機に信号を送信すると判定した場合には、前記信号受信手段が受信した前記リモコン信号を前記放送受信機に送信する信号送信手段と、
前記判定手段が前記放送受信機に信号を送信しないと判定した場合には、前記ルックアップテーブル取得手段が取得した前記地上デジタル放送のチャンネルを前記チューナに選局させる制御手段と、
を備えることを特徴とする地上デジタル放送アダプタ。
【請求項２】
前記リモコン信号と、前記判定情報と、前記地上デジタル放送のチャンネルと、の関連付けを学習するリモコン信号学習手段と、
前記リモコン信号学習手段が学習した前記関連付けによって前記ルックアップテーブルを生成するルックアップテーブル生成手段と、
をさらに備えることを特徴とする請求項１に記載の地上デジタル放送アダプタ。
【請求項３】
地上デジタル放送を受信して選局するチューナを備え、前記チューナが選局した前記地上デジタル放送を、接続された放送受信機が受信可能な放送信号に変換する地上デジタル放送アダプタにおいて、
前記地上デジタル放送アダプタに付属するリモコンのボタンに対応したリモコン信号を受信する信号受信手段と、
前記リモコン信号と、前記放送受信機に信号を送信するか否かを示す判定情報と、前記リモコンの選局ボタンに割り当てる前記地上デジタル放送のチャンネル及び前記リモコンの放送受信機用ボタンに割り当てる前記放送受信機を操作する操作信号と、の関連付けを有するルックアップテーブルを記憶する記憶手段と、
前記記憶手段が記憶する前記ルックアップテーブルから、前記信号受信手段が受信した前記リモコン信号に関連付けられた前記判定情報と前記地上デジタル放送のチャンネル及び前記操作信号とを取得するルックアップテーブル取得手段と、
前記ルックアップテーブル取得手段が取得した前記判定情報に基づいて、前記放送受信機に信号を送信するか否かを判定する判定手段と、
前記判定手段が前記放送受信機に信号を送信すると判定した場合には、前記ルックアップテーブル取得手段が取得した前記操作信号を前記放送受信機に送信する信号送信手段と、
前記判定手段が前記放送受信機に信号を送信しないと判定した場合には、前記ルックアップテーブル取得手段が取得した前記地上デジタル放送のチャンネルを前記チューナに選局させる制御手段と、
を備えることを特徴とする地上デジタル放送アダプタ。
【請求項４】
前記リモコン信号と、前記判定情報と、前記地上デジタル放送のチャンネル及び前記操作信号と、の関連付けを学習するリモコン信号学習手段と、
前記リモコン信号学習手段が学習した前記関連付けによって前記ルックアップテーブルを生成するルックアップテーブル生成手段と、
をさらに備えることを特徴とする請求項３に記載の地上デジタル放送アダプタ。
【請求項５】
地上デジタル放送を受信して選局するチューナが選局した前記地上デジタル放送を、放送受信機が受信可能な放送信号に変換するために、コンピュータを、
前記放送受信機に付属するリモコンのボタンに対応したリモコン信号を受信する信号受信手段、
前記リモコン信号と、前記放送受信機に信号を送信するか否かを示す判定情報と、前記リモコンの選局ボタンに割り当てる前記地上デジタル放送のチャンネルと、の関連付けを有するルックアップテーブルから、前記信号受信手段が受信した前記リモコン信号に関連付けられた前記判定情報と前記地上デジタル放送のチャンネルとを取得するルックアップテーブル取得手段、
前記ルックアップテーブル取得手段が取得した前記判定情報に基づいて、前記放送受信機に信号を送信するか否かを判定する判定手段、
前記判定手段が前記放送受信機に信号を送信すると判定した場合には、前記信号受信手段が受信した前記リモコン信号を前記放送受信機に送信する信号送信手段、
前記判定手段が前記放送受信機に信号を送信しないと判定した場合には、前記ルックアップテーブル取得手段が取得した前記地上デジタル放送のチャンネルを前記チューナに選局させる制御手段、
として機能させることを特徴とする地上デジタル放送アダプタのプログラム。
【請求項６】
地上デジタル放送を受信して選局するチューナが選局した前記地上デジタル放送を、放送受信機が受信可能な放送信号に変換するために、コンピュータを、
前記地上デジタル放送アダプタに付属するリモコンのボタンに対応したリモコン信号を受信する信号受信手段、
前記リモコン信号と、前記放送受信機に信号を送信するか否かを示す判定情報と、前記リモコンの選局ボタンに割り当てる前記地上デジタル放送のチャンネル及び前記リモコンの放送受信機用ボタンに割り当てる前記放送受信機を操作する操作信号と、の関連付けを有するルックアップテーブルから、前記信号受信手段が受信した前記リモコン信号に関連付けられた前記判定情報と前記地上デジタル放送のチャンネル及び前記操作信号とを取得するルックアップテーブル取得手段、
前記ルックアップテーブル取得手段が取得した前記判定情報に基づいて、前記放送受信機に信号を送信するか否かを判定する判定手段、
前記判定手段が前記放送受信機に信号を送信すると判定した場合には、前記ルックアップテーブル取得手段が取得した前記操作信号を前記放送受信機に送信する信号送信手段、
前記判定手段が前記放送受信機に信号を送信しないと判定した場合には、前記ルックアップテーブル取得手段が取得した前記地上デジタル放送のチャンネルを前記チューナに選局させる制御手段、
として機能させることを特徴とする地上デジタル放送アダプタのプログラム。
【発明の詳細な説明】
【技術分野】
【０００１】
本発明は、地上デジタル放送を放送受信機が受信可能な放送信号に変換する地上デジタル放送アダプタ及びそのプログラムに関する。
【背景技術】
【０００２】
一般的に普及したアナログ放送受信機（アナログテレビジョン装置）にデジタル放送アダプタを接続することで、アナログ放送受信機でデジタル放送を視聴することができる。ここで、従来のアナログ放送受信機用のリモコン（「リモートコントローラ」の略称）では、デジタル放送アダプタを操作することはできず、また、デジタル放送アダプタ用のリモコンでは、アナログ放送受信機用の電源をＯＮ／ＯＦＦ等の操作を行うことができない。このため、視聴者は、アナログ放送受信機用リモコンとデジタル放送アダプタ用リモコンを持ち替える必要がある。このように、複数のリモコンを持ち替えて操作することは視聴者にとって煩雑であるため、１台のリモコンでアナログ放送受信機とデジタル放送アダプタとを操作できる発明が開示されている。
【０００３】
例えば、特許文献１に記載の発明は、浴室に設置されたアナログ放送受信機と地上デジタル放送アダプタとを、リモコン信号を中継する中継ユニットを介することによって、１台のリモコンで操作可能とする。また、特許文献２に記載の発明は、アナログ放送のチャンネルとＣＳデジタル放送のチャネルを記憶した参照テーブルによって、モード切り替えキーを操作することなく、１台のリモコンで、アナログ放送のチャンネルとＣＳデジタル放送のチャネルを選局可能とする。
【特許文献１】特開２００６−３０４０９７号公報
【特許文献２】特開平１１−１６４２１４号公報
【発明の開示】
【発明が解決しようとする課題】
【０００４】
しかし、特許文献１に記載の発明は、浴室での使用を前提としているため、リビングルーム等においてアナログ放送受信機と地上デジタル放送アダプタをセットトップで使用する場合には、中継ユニットが余分なものとなり、装置が大規模化する問題がある。
【０００５】
また、特許文献２に記載の発明は、放送受信機がＣＳデジタル放送チューナを内蔵する構造であり、従来のアナログ放送受信機に地上デジタル放送アダプタを接続するケースには対応することができない。ここで、２０１１年度中には、アナログ放送から地上デジタル放送に完全移行するため、従来のアナログ放送受信機に地上デジタル放送アダプタを接続するケースに対応した技術が望まれている。
【０００６】
本発明は、前記した問題を解決し、簡易な構成で、１台のリモコンで放送受信機と地上デジタル放送アダプタとを操作できる地上デジタル放送アダプタを提供することを目的とする。
【課題を解決するための手段】
【０００７】
前記した課題を解決するため、請求項１に係る地上デジタル放送アダプタは、地上デジタル放送を受信して選局するチューナを備え、チューナが選局した地上デジタル放送を、接続された放送受信機が受信可能な放送信号に変換する地上デジタル放送アダプタにおいて、信号受信手段と、記憶手段と、ルックアップテーブル取得手段と、判定手段と、信号送信手段と、制御手段と、を備える構成とした。
【０００８】
かかる構成によれば、地上デジタル放送アダプタは、信号受信手段によって、放送受信機に付属するリモコンのボタンに対応したリモコン信号を受信する。また、地上デジタル放送アダプタは、記憶手段によって、リモコン信号と、放送受信機に信号を送信するか否かを示す判定情報と、リモコンの選局ボタンに割り当てる地上デジタル放送のチャンネルと、の関連付けを有するルックアップテーブルを記憶する。ここでは、ルックアップテーブルによって、放送受信機に付属するリモコンの選局ボタンと地上デジタル放送のチャンネルとを関連付ける。
【０００９】
また、地上デジタル放送アダプタは、ルックアップテーブル取得手段によって、記憶手段が記憶するルックアップテーブルから、信号受信手段が受信したリモコン信号に関連付けられた判定情報と地上デジタル放送のチャンネルとを取得する。また、地上デジタル放送アダプタは、判定手段によって、ルックアップテーブル取得手段が取得した判定情報に基づいて、放送受信機に信号を送信するか否かを判定する。
【００１０】
また、地上デジタル放送アダプタは、信号送信手段によって、判定手段が放送受信機に信号を送信すると判定した場合には、信号受信手段が受信したリモコン信号を放送受信機に送信する。これによって、地上デジタル放送アダプタでは、放送受信機に付属するリモコンを操作して、放送受信機の電源をＯＮ／ＯＦＦや音量の大小といった操作を行うことができる。さらに、地上デジタル放送アダプタは、制御手段によって、判定手段が放送受信機に信号を送信しないと判定した場合には、ルックアップテーブル取得手段が取得した地上デジタル放送のチャンネルをチューナに選局させる。これによって、地上デジタル放送アダプタでは、放送受信機に付属するリモコンを操作して、地上デジタル放送のチャンネルを選局することができる。
【００１１】
請求項２に係る地上デジタル放送アダプタは、請求項１に係る地上デジタル放送アダプタにおいて、リモコン信号と、判定情報と、地上デジタル放送のチャンネルと、の関連付けを学習するリモコン信号学習手段と、リモコン信号学習手段が学習した関連付けによってルックアップテーブルを生成するルックアップテーブル生成手段と、をさらに備えることを特徴とする。
【００１２】
かかる構成によれば、地上デジタル放送アダプタは、メーカーや機種毎に異なるリモコンのコードを学習してルックアップテーブルを生成することができる。
【００１３】
また、前記した課題を解決するため、請求項３に係る地上デジタル放送アダプタは、地上デジタル放送を受信して選局するチューナを備え、チューナが選局した地上デジタル放送を、接続された放送受信機が受信可能な放送信号に変換する地上デジタル放送アダプタにおいて、信号受信手段と、記憶手段と、ルックアップテーブル取得手段と、判定手段と、信号送信手段と、制御手段と、を備える構成とした。
【００１４】
かかる構成によれば、地上デジタル放送アダプタは、信号受信手段によって、地上デジタル放送アダプタに付属するリモコンのボタンに対応したリモコン信号を受信する。また、地上デジタル放送アダプタは、記憶手段によって、リモコン信号と、放送受信機に信号を送信するか否かを示す判定情報と、リモコンの選局ボタンに割り当てる地上デジタル放送のチャンネル及びリモコンの放送受信機用ボタンに割り当てる放送受信機を操作する操作信号と、の関連付けを有するルックアップテーブルを記憶する。ここでは、ルックアップテーブルによって、地上デジタル放送アダプタに付属するリモコンの選局ボタンと地上デジタル放送のチャンネルとを関連付けると共に、地上デジタル放送アダプタに付属するリモコンの放送受信機用ボタンと放送受信機の操作信号とを関連付ける。
【００１５】
また、地上デジタル放送アダプタは、ルックアップテーブル取得手段によって、記憶手段が記憶するルックアップテーブルから、信号受信手段が受信したリモコン信号に関連付けられた判定情報と地上デジタル放送のチャンネル及び操作信号とを取得する。また、地上デジタル放送アダプタは、判定手段によって、ルックアップテーブル取得手段が取得した判定情報に基づいて、放送受信機に信号を送信するか否かを判定する。
【００１６】
また、地上デジタル放送アダプタは、信号送信手段によって、判定手段が放送受信機に信号を送信すると判定した場合には、ルックアップテーブル取得手段が取得した操作信号を放送受信機に送信する。これによって、地上デジタル放送アダプタでは、地上デジタル放送アダプタに付属するリモコンを操作して、放送受信機の電源をＯＮ／ＯＦＦや音量の大小といった操作を行うことができる。さらに、地上デジタル放送アダプタは、制御手段によって、判定手段が放送受信機に信号を送信しないと判定した場合には、ルックアップテーブル取得手段が取得した前記地上デジタル放送のチャンネルをチューナに選局させる。これによって、地上デジタル放送アダプタでは、地上デジタル放送アダプタに付属するリモコンを操作して、地上デジタル放送のチャンネルを選局することができる。
【００１７】
請求項４に係る地上デジタル放送アダプタは、請求項３に係る地上デジタル放送アダプタにおいて、リモコン信号と、判定情報と、地上デジタル放送のチャンネル及び操作信号と、の関連付けを学習するリモコン信号学習手段と、リモコン信号学習手段が学習した関連付けによってルックアップテーブルを生成するルックアップテーブル生成手段と、をさらに備えることを特徴とする。
【００１８】
かかる構成によれば、地上デジタル放送アダプタは、メーカーや機種毎に異なるリモコンのコードを学習してルックアップテーブルを生成することができる。
【００１９】
また、前記した課題を解決するため、請求項５に係る地上デジタル放送アダプタのプログラムは、地上デジタル放送を受信して選局するチューナが選局した地上デジタル放送を、放送受信機が受信可能な放送信号に変換するために、コンピュータを、信号受信手段、ルックアップテーブル取得手段、判定手段、信号送信手段、制御手段、として機能させる構成とした。
【００２０】
また、前記した課題を解決するため、請求項６に係る地上デジタル放送アダプタのプログラムは、地上デジタル放送を受信して選局するチューナが選局した地上デジタル放送を、放送受信機が受信可能な放送信号に変換するために、コンピュータを、信号受信手段、ルックアップテーブル取得手段、判定手段、信号送信手段、制御手段、として機能させる構成とした。
【発明の効果】
【００２１】
本発明に係る地上デジタル放送アダプタ及びそのプログラムによれば、以下のような優れた効果を奏する。請求項１，５に係る発明によれば、中継ユニット等の追加機器を備えることなく簡易な構成で、従来の放送受信機に付属するリモコン１台で放送受信機と地上デジタル放送アダプタを操作することができる。さらに、請求項１，５に係る発明によれば、使い慣れた放送受信機のリモコンを継続使用することができ、家電製品に不慣れな者にも地上デジタル放送アダプタが扱いやすくなる。
また、請求項３，６に係る発明によれば、中継ユニット等の追加機器を備えることなく簡易な構成で、地上デジタル放送アダプタに付属するリモコン１台で放送受信機と地上デジタル放送アダプタを操作することができる。
また、請求項２，４に係る発明によれば、地上デジタル放送アダプタは、リモコン信号が異なる様々な放送受信機に対応でき、地上デジタル放送アダプタの汎用性を高くすることができる。
【発明を実施するための最良の形態】
【００２２】
以下、本発明の実施形態について、適宜図面を参照しながら詳細に説明する。なお、各実施形態において、同一の機能を有する手段及び同一の部材には同一の符号を付し、説明を省略した。
【００２３】
（第１実施形態）
［地上デジタル放送アダプタの構成］
図１を参照して、地上デジタル放送アダプタの構成について説明する。図１は、本発明の第１実施形態に係る地上デジタル放送アダプタのブロック図である。地上デジタル放送アダプタ１は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びＨＤＤ（Ｈａｒｄ  Ｄｉｓｋ  Ｄｒｉｖｅ）から構成される。また、地上デジタル放送アダプタ１は、信号受信手段１０と、リモコン信号学習手段２０と、ルックアップテーブル生成手段（ＬＵＴ生成手段）３０と、記憶手段４０と、ルックアップテーブル取得手段（ＬＵＴ取得手段）５０と、判定手段６０と、信号送信手段７０と、制御手段８０と、設定画面表示制御手段９２と、チューナ９４と、デコーダ９６と、を備える。
【００２４】
ここでは、放送受信機２は、アナログ放送を受信可能なアナログ放送受信機である。なお、放送受信機としては、アナログ放送受信機の他に、ＢＳデジタル放送を受信可能なＢＳデジタル放送受信機やＣＳデジタル放送を受信可能なＣＳデジタル放送受信機がある（不図示）。
【００２５】
リモコン３は、放送受信機２に付属するリモコンであり、それぞれのボタンに応じて、ＰＰＭ(Ｐｕｌｓｅ  Ｐｏｓｉｔｉｏｎ  Ｍｏｄｕｌａｔｉｏｎ)方式で符号化した赤外線信号を送信する。また、リモコン３は、ＮＥＣ（家電製品協会）フォーマット、ＳＯＮＹフォーマット等、メーカー又は機種毎に所定のフォーマットで赤外線信号を送信する。
【００２６】
以下、図２を参照して、放送受信機に付属するリモコンについて説明する。図２は、図１の放送受信機に付属するリモコンの概略図である。図２に示すように、リモコン３は、選局ボタン３ａと、操作ボタン３ｂと、を備える。
【００２７】
選局ボタン３ａは、放送受信機２でアナログ放送のチャンネルを選局するためのボタンである。選局ボタン３ａは、例えば、１２個備えられ、「１」ボタンは、アナログ放送の１チャンネル（ＮＨＫ総合）に対応し、「３」ボタンは、アナログ放送の３チャンネル（ＮＨＫ教育）に対応する。なお、全ての選局ボタン３ａに、チャンネルが対応していなくとも良い。
【００２８】
操作ボタン３ｂとは、リモコン３で選局ボタン３ａ以外の操作を行うボタンである。例えば、操作ボタン３ｂのうち、「電源」ボタンは、放送受信機２の電源をＯＮ／ＯＦＦし、「＋」ボタンは、放送受信機２の音量を大きくし、「−」ボタンは、放送受信機２の音量を小さくする。また、「入力切替」ボタンは、放送受信機２に入力される信号、例えば、アナログ放送信号と放送受信機２に接続されたビデオデッキ（不図示）からの放送信号とを切り替える。なお、操作ボタン３ｂは、「電源」ボタン、「＋」ボタン、「−」ボタン及び「入力切替」ボタンに制限されない。
【００２９】
以下、図１に戻り、地上デジタル放送アダプタ１の構成について、説明を続ける。信号受信手段１０は、放送受信機２に付属するリモコン３のボタンに対応したリモコン信号を受信するものである。ここでは、信号受信手段１０は、リモコン３からの赤外線信号を復調及び電気変換してリモコン信号を受信している。
【００３０】
記憶手段４０は、リモコン３のボタンに対応したリモコン信号と、放送受信機２に信号を送信するか否かを示す判定情報と、リモコンの選局ボタン３ａに割り当てる地上デジタル放送のチャンネルと、の関連付けを有するルックアップテーブル４２を記憶するものである。以下、図３を参照して、ルックアップテーブルのデータ構造について説明する（適宜図１，２参照）。図３は、図１の記憶手段が記憶するルックアップテーブルのデータ構造を示す説明図である。
【００３１】
図３に示すように、ルックアップテーブル４２は、リモコン信号と、出力信号と、判定情報と、を項目として備える。リモコン信号は、リモコン３の選局ボタン３ａ及び操作ボタン３ｂのそれぞれのリモコン信号に対応するものであり、ルックアップテーブル取得手段５０がルックアップテーブル４２を取得するためのキー項目となる。出力信号は、リモコン３の選局ボタン３ａに割り当てる地上デジタル放送のチャンネルを格納するものである。また、出力信号には、地上デジタル放送アダプタ１を操作する操作信号を格納しても良い。ここで、「−」は、出力信号が空であり、「アダプタ電源制御信号」は、地上デジタル放送アダプタ１の電源をＯＮ／ＯＦＦする操作信号である。判定情報は、放送受信機２に信号を送信するか否かを示すものであり、例えば、「Ｙｅｓ」の場合は、放送受信機２に信号を送信し、「Ｎｏ」の場合は、放送受信機２に信号を送信しないことを示す。
【００３２】
図３では、「チャンネル１」から「チャンネル１２」までのレコードが、リモコン３の選局ボタン３ａに対応するレコードであり、「テレビ電源」以降のレコードが操作ボタン３ｂに対応する。ルックアップテーブル４２の最上行のレコードは、リモコン信号が「チャンネル１」であるため、リモコン３の選局ボタン３ａのうち、「１」ボタンに対応することを示す。また、出力信号が「２７」であるため、リモコン３の「１」ボタンに地上デジタル放送のチャンネル「２７（ＮＨＫ総合）」を割り当てることを示す。ここでは、出力信号は、地上デジタル放送の物理チャンネルである。また、判定情報が「Ｎｏ」であるため、信号を放送受信機２に送信しないことを示す。
【００３３】
また、同様に、ルックアップテーブル４２の上から２段行のレコードは、リモコンの「３」ボタンに対応し、地上デジタル放送のチャンネル「２６（ＮＨＫ教育）」が割り当てられ、信号を放送受信機２に送信しないことを示す。
【００３４】
一方、ルックアップテーブル４２の最下行のレコードは、リモコン信号が「テレビ音量（大）」であるため、リモコン３の操作ボタン３ｂのうち、「＋」ボタンに対応することを示す。また、このレコードは、出力信号が空であり、判定情報が「Ｙｅｓ」であるため、信号を放送受信機２に送信することを示す。なお、ルックアップテーブル４２に「テレビ電源」のレコードを２行登録する理由については、後記する。
【００３５】
以下、図１に戻り、地上デジタル放送アダプタ１の構成について、説明を続ける。ルックアップテーブル取得手段５０は、記憶手段４０が記憶するルックアップテーブル４２から、信号受信手段１０が受信したリモコン信号に関連付けられた判定情報と地上デジタル放送のチャンネルとを取得するものである。例えば、信号受信手段１０がリモコン３の「１」ボタンに対応するリモコン信号を受信した場合、ルックアップテーブル取得手段５０は、ルックアップテーブル４２から地上デジタル放送のチャンネル「２７」と、判定情報「Ｎｏ」を取得する。また、信号受信手段１０がリモコン３の「＋」ボタンに対応するリモコン信号を受信した場合、ルックアップテーブル取得手段５０は、ルックアップテーブル４２から空の出力信号と、判定情報「Ｙｅｓ」を取得する。
【００３６】
判定手段６０は、ルックアップテーブル取得手段５０が取得した判定情報に基づいて、放送受信機２に信号を送信するか否かを判定するものである。例えば、リモコン３の「１」ボタンが押された場合、判定手段６０は、ルックアップテーブル取得手段５０が取得する判定情報が「Ｎｏ」のため、ルックアップテーブル取得手段５０が取得した地上デジタル放送のチャンネル「２７」を制御手段８０に出力する。また、リモコン３の「＋」ボタンが押された場合、判定手段６０は、ルックアップテーブル取得手段５０が取得する判定情報が「Ｙｅｓ」のため、信号受信手段１０が受信したリモコン３の「＋」ボタンに対応するリモコン信号を信号送信手段７０に出力する。
【００３７】
信号送信手段７０は、判定手段６０が放送受信機２に信号を送信すると判定した場合には、信号受信手段１０が受信したリモコン信号を放送受信機２に送信するものである。例えば、リモコン３の「＋」ボタンが押された場合、信号送信手段７０は、信号受信手段１０が受信したリモコン３の「＋」ボタンに対応するリモコン信号を赤外線信号に変換して放送受信機２に送信する。そして、放送受信機２は、音量を大きくするといった信号送信手段７０からの赤外線信号に従った動作を行う。言い換えると、放送受信機２は、リモコン３の操作ボタン３ｂに対応する赤外線信号を、地上デジタル放送アダプタ１を介して受信していることになる。
【００３８】
ここでは、信号送信手段７０から放送受信機２まで赤外線ケーブルを延設し、この赤外線ケーブルの端に設けた赤外線信号の出射口を放送受信機２の赤外線信号受光部に密着させる（不図示）。このようにして、放送受信機２がリモコン３からの赤外線信号を混信しないようにすることができる。また、信号送信手段７０は、信号受信手段１０が受信したリモコン信号を無線信号（ＲＦ）に変換して放送受信機２に送信しても良い。そして、放送受信機２は、赤外線信号受光部に無線信号（ＲＦ）を赤外線信号に変換するＲＦユニットを装着し、信号送信手段７０からの無線信号を赤外線信号に変換して受信しても良い。
【００３９】
制御手段８０は、判定手段６０が放送受信機２に信号を送信しないと判定した場合には、ルックアップテーブル取得手段５０が取得した地上デジタル放送のチャンネルをチューナ９４に選局させるものである。例えば、リモコン３の「１」ボタンが押された場合、制御手段８０は、ルックアップテーブル取得手段５０が取得した地上デジタル放送のチャンネル「２７」を、選局信号としてチューナ９４に出力する。
【００４０】
チューナ９４は、アンテナ４を介して地上デジタル放送を受信し、制御手段８０からの選局信号に従って選局するものである。チューナ９４は、例えば、選局信号として地上デジタル放送のチャンネルが入力された場合、地上デジタル放送のチャンネル「２７」を選局する。
【００４１】
デコーダ９６は、チューナ９４が選局した地上デジタル放送を、接続された放送受信機２が受信可能な放送信号に変換するものである。ここでは、デコーダ９６は、チューナ９４が選局した地上デジタル放送を、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）形式のアナログ放送信号に変換して放送受信機２に送信する。
【００４２】
リモコン３のリモコン信号を特定できる場合（特定の放送受信機や特定のメーカーのみに対応する場合）、地上デジタル放送アダプタ１は、予め、ルックアップテーブル４２を生成しておけば良い。一方、リモコン３のリモコン信号を特定できない場合には、地上デジタル放送アダプタ１は、リモコン信号学習手段２０によってリモコン信号を学習し、ルックアップテーブル４２を生成しても良い。ここで、地上デジタル放送アダプタ１は、リモコン信号を１回学習すれば良く、地上デジタル放送アダプタ１と放送受信機２それぞれのリモコン信号を学習する必要がある学習リモコンに比べ、学習に回数を低減でき、学習が容易である。
【００４３】
リモコン信号学習手段２０は、リモコン信号と、判定情報と、地上デジタル放送のチャンネルと、の関連付けを学習するものである。ここでは、地上デジタル放送アダプタ１は、設定ボタン（不図示）を備え、この設定ボタンが押された場合、リモコン信号学習手段２０が学習を開始する。また、学習を開始すると、リモコン信号学習手段２０は、設定制御信号を設定画面表示制御手段９２に出力し、信号受信手段１０を介してリモコン信号を待ち受ける状態となる。ここで、設定制御信号には、設定画面に表示する地上デジタル放送のチャンネルや操作内容等、設定画面を表示するための情報が含まれる。
【００４４】
設定画面表示制御手段９２は、画面表示信号がリモコン信号学習手段２０から入力された場合、放送受信機２に設定画面を表示する。また、設定画面表示制御手段９２は、地上デジタル放送アダプタ１に設けられた表示パネルに設定画面を表示しても良い（不図示）。以下、図４を参照して、リモコン信号を学習してルックアップテーブルを生成することについて説明する。図４は、本発明の第１実施形態における設定画面の一例を示す図である。例えば、リモコン信号学習手段２０は、地上デジタル放送のチャンネル「２７」という情報を含む設定制御信号を、設定画面表示制御手段９２に出力する。この設定制御信号が入力されると、設定画面表示制御手段９２は、地上デジタル放送のチャンネル「２７」に関連付けるボタンの押下を促す設定画面を放送受信機２に表示する。ここで、視聴者がリモコン３の「１」ボタンを押した場合、信号受信手段１０を介して、リモコン３の「１」ボタンに対応するリモコン信号がリモコン信号学習手段２０に入力される。また、リモコン信号学習手段２０は、地上デジタル放送のチャンネルについてリモコン信号を学習する場合は、判定区分を「Ｎｏ」としておく。これによって、リモコン信号学習手段２０は、リモコン３の「１」ボタンに対応するリモコン信号と、リモコン３の「１」に割り当てる地上デジタル放送のチャンネル「２７」という出力情報と、「Ｎｏ」という判定区分と、を関連付けることができる。
【００４５】
次に、リモコン信号学習手段２０は、「テレビ音量（大）」という情報を含む設定制御信号を、設定画面表示制御手段９２に出力する。この設定制御信号が入力されると、設定画面表示制御手段９２は、「テレビ音量（大）」に関連付けるボタンの押下を促す設定画面を放送受信機２に表示する。ここで、視聴者がリモコン３の「＋」ボタンを押した場合、信号受信手段１０を介して、リモコン３の「＋」ボタンに対応するリモコン信号がリモコン信号学習手段２０に入力される。また、リモコン信号学習手段２０は、放送受信機２の操作についてリモコン信号を学習する場合は、出力情報を空とし、判定区分を「Ｙｅｓ」としておく。これによって、リモコン信号学習手段２０は、リモコン３の「＋」に対応するリモコン信号と、空の出力情報と、「Ｙｅｓ」という判定区分と、を関連付けることができる。ここでは、リモコン信号学習手段２０は、設定ボタンが再度押されることによって、学習が終了したと判断する。
【００４６】
リモコン信号学習手段２０は、前記した関連付けをルックアップテーブル生成手段３０に出力する。また、ルックアップテーブル生成手段３０は、リモコン信号学習手段２０が学習した関連付けによってルックアップテーブル４２を生成するものである。
【００４７】
ここで、前記したルックアップテーブル４２に「テレビ電源」のレコードを２行登録する理由について説明する。リモコン３は、放送受信機２に付属するリモコンであるため、地上デジタル放送アダプタ１の電源をＯＮ／ＯＦＦするためのボタンは設けられていない（図２参照）。まず、リモコン３によって地上デジタル放送アダプタ１の電源をＯＮ／ＯＦＦするために、ルックアップテーブル４２には、アダプタ電源制御信号を、リモコン３の「電源」ボタンに対応させて、地上デジタル放送アダプタ１の製造時等に予め登録（プリセット）しておく。
【００４８】
そして、リモコン３の「電源」ボタンが押された場合、ルックアップテーブル取得手段５０は、ルックアップテーブル４２から、「テレビ電源」に対応する２行のレコードを取得する。この「テレビ電源」に対応する２行のレコードのうち、判定区分が「Ｙｅｓ」となっているレコードについて、判定手段６０は、放送受信機２に信号を送信すると判断する。このため、リモコン３の「電源」ボタンに対応するリモコン信号が信号送信手段７０を介して放送受信機２に送信される。一方、この「テレビ電源」に対応する２件のレコードのうち、判定区分が「Ｎｏ」となっているレコードについて、判定手段６０は、放送受信機２に信号を送信しないと判断する。このため、制御手段８０は、出力情報に格納された操作信号「アダプタ電源制御信号」に基づいた制御、すなわち、地上デジタル放送アダプタ１の電源をＯＮ／ＯＦＦする。以上のように、地上デジタル放送アダプタ１は、放送受信機２に付属するリモコン３を用いて、地上デジタル放送アダプタ１と放送受信機２の電源を同時にＯＮ／ＯＦＦすることができる。
【００４９】
［地上デジタル放送アダプタの動作］
以下、図５を参照して、地上デジタル放送アダプタの通常動作について説明する（適宜図１参照）。図５は、図１の地上デジタル放送アダプタの通常動作を示すフローチャートである。まず、地上デジタル放送アダプタ１は、ルックアップテーブル取得手段５０によって、信号受信手段１０が受信したリモコン信号に関連付けられた、記憶手段４０が記憶するルックアップテーブル４２の判定情報と地上デジタル放送のチャンネルとを取得する（ステップＳ１）。
【００５０】
ステップＳ１に続いて、地上デジタル放送アダプタ１は、判定手段６０によって、ルックアップテーブル取得手段５０が取得した判定情報に基づいて、信号受信手段１０が放送受信機２に信号を送信するか否かを判定する（ステップＳ２）。また、地上デジタル放送アダプタ１は、判定手段６０が放送受信機２に信号を送信しないと判定した場合には（ステップＳ２でＮｏ）、制御手段８０によって、ルックアップテーブル取得手段５０が取得した地上デジタル放送のチャンネルをチューナ９４に選局させる（ステップＳ３）。一方、地上デジタル放送アダプタ１は、判定手段６０が放送受信機２に信号を送信すると判定した場合には（ステップＳ２でＹｅｓ）、信号送信手段７０によって、信号受信手段１０が受信したリモコン信号を放送受信機２に送信する（ステップＳ４）。
【００５１】
以下、図６を参照して、地上デジタル放送アダプタの学習動作について説明する（適宜図１参照）。図６は、図１の地上デジタル放送アダプタの学習動作を示すフローチャートである。まず、地上デジタル放送アダプタ１は、設定画面表示制御手段９２によって、放送受信機２に設定画面を表示する（ステップＳ１１）。また、地上デジタル放送アダプタ１は、リモコン信号学習手段２０によって、リモコン信号と、判定情報と、地上デジタル放送のチャンネルと、の関連付けを学習する（ステップＳ１２）。
【００５２】
ステップＳ１２に続いて、地上デジタル放送アダプタ１は、リモコン信号学習手段２０によって、学習を継続するか否かを判別する（ステップＳ１３）。ここで、リモコン信号学習手段２０が学習を継続すると判別する場合、地上デジタル放送アダプタ１は、ステップＳ１１の処理に戻る（ステップＳ１３でＹｅｓ）。一方、リモコン信号学習手段２０が学習を継続しないと判別する場合、地上デジタル放送アダプタ１は、ステップＳ１４の処理に進む（ステップＳ１３でＮｏ）。
【００５３】
ステップＳ１３に続いて、地上デジタル放送アダプタ１は、ルックアップテーブル生成手段３０によって、リモコン信号学習手段２０が学習した関連付けによってルックアップテーブル４２を生成する（ステップＳ１４）。
【００５４】
（第２実施形態）
［地上デジタル放送アダプタの構成］
図７を参照して、地上デジタル放送アダプタの構成について説明する。図７は、本発明の第２実施形態に係る地上デジタル放送アダプタのブロック図である。地上デジタル放送アダプタ１Ｂは、信号受信手段１０Ｂと、リモコン信号学習手段２０Ｂと、ルックアップテーブル生成手段３０Ｂと、記憶手段４０Ｂと、ルックアップテーブル取得手段５０Ｂと、判定手段６０Ｂと、信号送信手段７０Ｂと、制御手段８０Ｂと、設定画面表示制御手段９２と、チューナ９４と、デコーダ９６と、を備える。
【００５５】
信号受信手段１０Ｂは、地上デジタル放送アダプタ１Ｂに付属するリモコン５のボタンに対応したリモコン信号を受信するものである。なお、信号受信手段１０Ｂは、図１の信号受信手段１０と同様に、リモコン５からの赤外線信号を復号及び変換してリモコン信号を受信する。
【００５６】
以下、図８を参照して、地上デジタル放送アダプタに付属するリモコンについて説明する。図８は、図７の地上デジタル放送アダプタに付属するリモコンの概略図である。図８に示すように、リモコン５は、アダプタ用ボタン５ａと、放送受信機用ボタン５ｂと、を備える。アダプタ用ボタン５ａは、地上デジタル放送アダプタの選局ボタンや操作ボタンを含む。また、放送受信機用ボタン５ｂは、放送受信機２の電源をＯＮ／ＯＦＦ等の操作を行うために、予め、リモコン５に備えられたものである。
【００５７】
以下、図７に戻り、地上デジタル放送アダプタ１Ｂの構成について、説明を続ける。記憶手段４０Ｂは、リモコン信号と、放送受信機２に信号を送信するか否かを示す判定情報と、リモコン５の選局ボタンに割り当てる地上デジタル放送のチャンネル及びリモコン５の放送受信機用ボタン５ｂに割り当てる放送受信機２を操作する操作信号と、の関連付けを有するルックアップテーブル４２ｂを記憶するものである。
【００５８】
ここで、図９を参照して、ルックアップテーブルのデータ構造について説明する。図９は、図７の記憶手段が記憶するルックアップテーブルのデータ構造を示す説明図である。リモコン信号は、アダプタ用ボタン５ａ及び放送受信機用ボタン５ｂのそれぞれのリモコン信号に対応するものである。出力信号は、アダプタ用ボタン５ａのうちの選局ボタンに割り当てる地上デジタル放送のチャンネル及び放送受信機用ボタン５ｂに割り当てる放送受信機２の操作信号を格納するものである。ここで、出力信号には、アダプタ用ボタン５ａのうちの操作ボタンに割り当てる地上デジタル放送の操作信号を格納しても良い。また、判定情報は、放送受信機２に信号を送信するか否かを示すものである。
【００５９】
図９では、「チャンネル１」から「チャンネル１２」までのレコードが、アダプタ用ボタン５ａのうちの選局ボタンに対応するレコードであり、「アダプタ電源」のレコードがアダプタ用ボタン５ａの「電源」ボタンに対応し、「テレビ電源」以降のレコードが放送受信機用ボタン５ｂに対応する。ルックアップテーブル４２ｂの最上行のレコードは、リモコン信号が「チャンネル１」であるため、リモコン５のアダプタ用ボタン５ａのうち、「１」ボタンに対応することを示す。また、出力信号が「２７」であるため、リモコン３の「１」ボタンに地上デジタル放送のチャンネル「２７（ＮＨＫ総合）」を割り当てることを示す。また、判定情報が「Ｎｏ」であるため、信号を放送受信機２に送信しないことを示す。
【００６０】
また、同様に、ルックアップテーブル４２ｂの上から２段行のレコードは、リモコン５の「３」ボタンに対応し、地上デジタル放送のチャンネル「２６（ＮＨＫ教育）」が割り当てられ、信号を放送受信機２に送信しないことを示す。
【００６１】
一方、ルックアップテーブル４２ｂの最下行のレコードは、リモコン信号が「テレビ音量（大）」であるため、放送受信機用ボタン５ｂのうち、「＋」ボタンに対応することを示す。また、このレコードは、判定情報が「Ｙｅｓ」であるため、信号を放送受信機２に送信することを示す。
【００６２】
以下、図７に戻り、地上デジタル放送アダプタ１Ｂの構成について説明を続ける。ルックアップテーブル取得手段５０Ｂは、記憶手段４０Ｂが記憶するルックアップテーブル４２ｂから、信号受信手段１０Ｂが受信したリモコン信号に関連付けられた判定情報と地上デジタル放送のチャンネル及び操作信号とを取得するものである。
【００６３】
判定手段６０Ｂは、ルックアップテーブル取得手段５０Ｂが取得した判定情報に基づいて、放送受信機２に信号を送信するか否かを判定するものである。
信号送信手段７０Ｂは、判定手段６０Ｂが放送受信機２に信号を送信すると判定した場合には、ルックアップテーブル取得手段５０Ｂが取得した放送受信機の操作信号を放送受信機２に送信するものである。例えば、リモコン５の「＋」ボタンが押された場合、信号送信手段７０Ｂは、ルックアップテーブル取得手段５０Ｂが取得した「テレビ音量（大）」を赤外線信号に変換して送信する。そして、放送受信機２は、音量を大きくするといった信号送信手段７０Ｂからの赤外線信号に従った動作を行う。
【００６４】
制御手段８０Ｂは、判定手段６０Ｂが放送受信機２に信号を送信しないと判定した場合には、ルックアップテーブル取得手段５０Ｂが取得した地上デジタル放送のチャンネルをチューナ９４に選局させるものである。例えば、リモコン５の「１」ボタンが押された場合、制御手段８０Ｂは、ルックアップテーブル取得手段５０が取得した地上デジタル放送のチャンネル「２７」を、選局信号としてチューナ９４に出力する。そして、チューナ９４は、この選局信号に従って、例えば、地上デジタル放送のチャンネル「２７」を選局する。
【００６５】
ここで、リモコン５が地上デジタル放送アダプタ１Ｂに付属するものであるため、予め、アダプタ用ボタン５ａのリモコン信号と、アダプタ用ボタン５ａに割り当てる地上デジタル放送のチャンネルや操作信号と、判定区分と、の関連付けておくことができる。一方、リモコン５のリモコン信号を特定できない場合には、地上デジタル放送アダプタ１Ｂは、リモコン信号学習手段２０Ｂによってリモコン信号を学習し、ルックアップテーブル４２ｂによって学習しても良い。ここで、地上デジタル放送アダプタ１Ｂは、リモコン信号を１回学習すれば良く、地上デジタル放送アダプタ１Ｂと放送受信機２それぞれのリモコン信号を学習する必要がある学習リモコンに比べ、学習に回数を低減でき、学習が容易である。
【００６６】
リモコン信号学習手段２０Ｂは、リモコン信号と、判定情報と、地上デジタル放送のチャンネル及び操作信号と、の関連付けを学習するものである。ここで、視聴者は、アナログ放送受信機のリモコン（不図示）の操作ボタンを押して、放送受信機用ボタン５ｂに対応するリモコン信号及び操作信号をリモコン信号学習手段２０Ｂに学習させる。
ルックアップテーブル生成手段３０Ｂは、リモコン信号学習手段２０Ｂが学習した関連付けによってルックアップテーブル４２ｂを生成するものである。
【００６７】
なお、本発明は、一般的なコンピュータを、前記した各手段として機能させるプログラムによって動作させることもできる。このプログラムは、通信回線を介して配布しても良く、ＣＤ−ＲＯＭやフラッシュメモリ等の記録媒体に書き込んで配布しても良い。
【図面の簡単な説明】
【００６８】
【図１】本発明の第１実施形態に係る地上デジタル放送アダプタのブロック図である。
【図２】図１の放送受信機に付属するリモコンの概略図である。
【図３】図１の記憶手段が記憶するルックアップテーブルのデータ構造を示す説明図である。
【図４】本発明の第１実施形態における設定画面の一例を示す図である。
【図５】図１の地上デジタル放送アダプタの通常動作を示すフローチャートである。
【図６】図１の地上デジタル放送アダプタの学習動作を示すフローチャートである。
【図７】本発明の第２実施形態に係る地上デジタル放送アダプタのブロック図である。
【図８】図７の地上デジタル放送アダプタに付属するリモコンの概略図である。
【図９】図７の記憶手段が記憶するルックアップテーブルのデータ構造を示す説明図である。
【符号の説明】
【００６９】
１，１Ｂ      地上デジタル放送アダプタ
２            放送受信機
３            放送受信機に付属するリモコン
４            アンテナ
５            地上デジタル放送アダプタに付属するリモコン
１０，１０Ｂ  信号受信手段
２０，２０Ｂ  リモコン信号学習手段２０
３０，３０Ｂ  ルックアップテーブル生成手段
４０，４０Ｂ  記憶手段
５０，５０Ｂ  ルックアップテーブル取得手段
６０，６０Ｂ  判定手段
７０，７０Ｂ  信号送信手段
８０，８０Ｂ  制御手段
９２          設定画面表示制御手段
９４          チューナ
９６          デコーダ
【図１】
2009164669.tif 000003
【図２】
2009164669.tif 000004
【図３】
2009164669.tif 000005
【図４】
2009164669.tif 000006
【図５】
2009164669.tif 000007
【図６】
2009164669.tif 000008
【図７】
2009164669.tif 000009
【図８】
2009164669.tif 000010
【図９】
2009164669.tif 000011